(57)【要約】【課題】長毛やくせ毛を効率的に切断することができる電気かみそりを提供する。【解決手段】網刃体４６の髭導入孔５２の形成領域の外表面に、これに密着する複数本の起毛用ワイヤー４５を配置する。ワイヤー４５の線径（ｔ３）は、網刃体４６の厚み寸法（ｔ１）よりも大きく設定し、網刃体４６に開設された髭導入孔５２の開口寸法（ｔ２）よりも小さく設定する。ワイヤー４５を網刃体４６の外表面に密着維持するための引っ張り手段Ｓを設ける。【選択図】図１
2006280404.tif 000002
【特許請求の範囲】
【請求項１】
網刃体（４６）を含む固定外刃（１５）と、該固定外刃（１５）に内接摺動する可動内刃（１３）とを備える電気かみそりであって、
網刃体（４６）の髭導入孔（５２）の形成領域の外表面に、該当の外表面に密着する複数本の起毛用ワイヤー（４５）が配置されていることを特徴とする電気かみそり。
【請求項２】
ワイヤー（４５）の線径（ｔ３）が、網刃体（４６）の厚み寸法（ｔ１）よりも大きく設定されている請求項１記載の電気かみそり。
【請求項３】
ワイヤー（４５）の線径（ｔ３）が、網刃体（４６）に開設した髭導入孔（５２）の開口寸法（ｔ２）よりも小さく設定されている請求項１又は２記載の電気かみそり。
【請求項４】
網刃体（４６）の外表面に、ワイヤー（４５）を密着するよう維持するための引っ張り手段（Ｓ）を備えている請求項１記載の電気かみそり。
【請求項５】
固定外刃（１５）は、シート状の網刃体（４６）を左右横長のアーチ形状に保形してなり、
網刃体（４６）の幅方向（前後方向）にわたってアーチを跨ぐように、左右方向に等間隔を置いて複数本のワイヤー（４５）が、網刃体（４６）の髭導入孔（５２）の形成領域の外表面に配されている請求項１又は２又は３記載の電気かみそり。
【請求項６】
固定外刃（１５）は、シート状の網刃体（４６）を左右横長のアーチ形状に保形してなり、
網刃体（４６）の髭導入孔（５２）の領域の外表面に、左右方向に向かって複数本のワイヤー（４５）が配されている請求項１又は２又は３記載の電気かみそり。
【発明の詳細な説明】
【技術分野】
【０００１】
本発明は、網刃体を含む固定外刃と、この固定外刃に内接摺動する可動内刃とを備えた電気かみそりに関する。
【背景技術】
【０００２】
例えば、往復動式内刃や回転式内刃をもつ電気かみそりの分野において、それらのアーチ状またはドーム状の外刃自体に、剃り残し等で長くなった長毛、あるいはくせ毛を起こして剃り易いように凸リブや長孔を設けることは、特許文献１に公知である。
【０００３】
【特許文献１】実開昭５８−１４３６７３号公報（図１、図２参照）
【発明の開示】
【発明が解決しようとする課題】
【０００４】
特許文献１においては、アーチ状の外刃の肌面に対し最も接触し易い中央部に本来の短毛切断用の髭導入孔を設け、長毛あるいはくせ毛を起こすための凸リブや長孔は、その髭導入孔領域の外側端に偏して設けてある。こうした凸リブや長孔が設けられる箇所は外刃の肌面に対し接触しにくい箇所であり、しかも外刃の限られた有効面積に設けられる関係上、その長孔開孔面積が制約されて狭いため、肌面との接触面積が少ない。このため長毛やくせ毛の起こし機能が満足に行われていないのが現状であり、長毛やくせ毛を捕まえて切断するのにあまりにも時間が長く掛かり過ぎる。
【０００５】
そこで本発明の目的は、短毛、長毛およびくせ毛などの髭を確実に起こすことができるようにして、効率的な髭剃り操作を実行できる電気かみそりを提供することにある。
【課題を解決するための手段】
【０００６】
本発明は図１および図８に示すように、網刃体４６を含む固定外刃１５と、この固定外刃１５に内接摺動する可動内刃１３とを備える電気かみそりであって、網刃体４６の髭導入孔５２の形成領域の外表面に、該当の外表面に密着する複数本の起毛用ワイヤー４５が配置されていることを特徴とする。ここでの「ワイヤー」とは、金属線状体だけでなく、釣り糸のごとく樹脂製の線状体をも含む概念である。
【０００７】
図４に示すように、ワイヤー４５の線径（ｔ３）は、網刃体４６の厚み寸法（ｔ１）よりも大きく設定することが好ましい。
【０００８】
ワイヤー４５の線径（ｔ３）は、網刃体４６に開設した髭導入孔５２の開口寸法（ｔ２）よりも小さく設定することが好ましい。ここでの髭導入孔５２の開口寸法（ｔ２）とは、髭導入孔５２の最大内形寸法を意味しており、髭導入孔５２が円孔状の場合には、その内径寸法を、髭導入孔５２が四角孔状の場合には、その対角寸法を意味する。尤も、本発明における髭導入孔５２の形状は、先の円孔状や四角孔状に限定されない。具体的には、網刃体４６の厚み寸法（ｔ１）は６０μｍ程度、髭導入孔５２の開口寸法（ｔ２）は３００μｍ〜４５０μｍ、ワイヤー４５の線径（ｔ３）は７０μｍ〜１３０μｍに設定することができる。
【０００９】
網刃体４６の外表面にワイヤー４５を密着するよう維持するための引っ張り手段Ｓを設けることが好ましい。図３には、段部５１および保持枠４７を主要構成要素とする引っ張り手段Ｓを示しており、この引っ張り手段Ｓによれば、外刃ホルダー１６をヘッドケース１２に装着したとき、ワイヤー４５の後端部分が前壁側の段部５１に押されることにより、ワイヤー４５が図６に示すような直線姿勢から、図３に示すような網刃体４６の後縁に沿う略Ｌ字姿勢に撓み変形するので、ワイヤー４５の全体を網刃体４６の外表面に強く押し付けて、ワイヤー４５を網刃体４６の外表面に密着維持できる。図９には、ワイヤー４５の後端を固定保持し、保持枠４７内で上下方向にスライド移動可能に構成されたスライド体９０と、スライド体９０を下向きに移動付勢するコイル形のばね９１とを主要構成要素とする引っ張り手段Ｓを示している。この引っ張り手段Ｓによれば、ばね９１の付勢力を受けてスライド体９０が保持枠４７内で下向きに変位移行されることにより、ワイヤー４５の後端を下方に引っ張って、網刃体４６の外表面上にワイヤー４５を緊張状態に密着維持できる。
【００１０】
図１および図３に示すごとく、固定外刃１５はシート状の網刃体４６を左右横長のアーチ形状に保形して、網刃体４６の幅方向（前後方向）にわたってアーチを跨ぐように、左右方向に等間隔を置いて複数本のワイヤー４５が、網刃体４６の髭導入孔５２の形成領域の外表面に配された形態を採ることができる。
【００１１】
または、図７および図８に示すごとく、固定外刃１５はシート状の網刃体４６を左右横長のアーチ形状に保形して、網刃体４６の髭導入孔５２の領域の外表面に、左右方向に向かって複数本のワイヤー４５が配された形態を採ることができる。
【発明の効果】
【００１２】
網刃体４６の髭導入孔５２の形成領域の外表面に、複数本の起毛用のワイヤー４５が密着するよう配されていると、髭剃り動作時のワイヤー４５と肌面との接触機会を良好に確保できるので、ワイヤー４５で短毛や長毛やくせ毛などの髭を効果的に起こして、これらを髭導入孔５２から可動内刃１３の切断領域内に引き入れて切断することが容易となる。つまり、網刃体４６の外表面に複数本の起毛用のワイヤー４５を密着配置してあると、特許文献１の従来形態ように、起毛用部材を髭導入孔領域の外側端に偏して設ける形式に比べて、肌面とワイヤー４５との接触機会を格段に向上できるため、髭を効果的に起毛して、これらを短時間で効率的に切断できる。
【００１３】
図４に示すごとく、ワイヤー４５の線径（ｔ３）が、網刃体４６の厚み寸法（ｔ１）よりも大きく設定されていると、これとは逆にワイヤー４５の線径（ｔ３）が網刃体４６の厚み寸法（ｔ１）よりも小さな形式に比べて、ワイヤー４５これ自身の強度を良好に確保でき、ワイヤー４５が髭導入孔５２内に垂れ込むことを良く阻止できる。
【００１４】
図４に示すごとく、ワイヤー４５の線径（ｔ３）が髭導入孔５２の開口寸法（ｔ２）よりも小さく設定されていると、ワイヤー４５を設けたことによる髭導入孔５２への髭の導入動作が阻害される不具合を最小限に抑えることができる。
【００１５】
ワイヤー４５を網刃体４６の外表面に密着維持するための引っ張り手段が設けられていると、ワイヤー４５が不用意に緩むのを防いで、ワイヤー４５を緊張状態に維持し、ワイヤー４５が髭導入孔５２内に垂れ込むことを良く防止できる。
【００１６】
図１に示すように、前後方向に複数本のワイヤー４５を配した形態を採る場合には、電気かみそりを左右方向に動かしたときに、該ワイヤー４５による起毛効果が良好に発揮されるため、当該左右方向の動作により、確実に短毛や長毛やくせ毛を起毛させて、これらを効率的に切断できる。
【００１７】
図７に示すように、左右方向に複数本のワイヤー４５を配した形態を採る場合には、電気かみそりを前後方向に動かしたときに、ワイヤー４５による起毛効果が良好に発揮されるため、当該前後方向の動作により、確実に髭を起毛して、これらを効率的に切断できる。この種の左右方向に長いヘッド部３を有する電気かみそりでは、通常は前後方向にヘッド部３を動かして髭剃りを行う。したがって、上述のように左右方向にワイヤー４５を配して、前後方向にヘッド部３を動かしたときに起毛効果が発揮されるようにしてあると、より効率的に髭を剃り上げることができ、実用利便性に優れた電気かみそりが得られる。
【発明を実施するための最良の形態】
【００１８】
（第１実施形態）
図１ないし図６は本発明をロータリー式の電気かみそりに適用した第１実施形態を示す。図２において電気かみそりは、グリップを兼ねる卵形の本体部１と、本体部１に連続して上向きに突設されたＵ字状の支持腕２と、支持腕２で浮動支持されるヘッド部３とを備えている。
【００１９】
本体部１の内部には、回路基板５と２個の２次電池６とを収容してある。本体部１の前面には化粧パネル７が配置されており、その上下に押しボタン型のスイッチボタン９と、スイッチボタン９がオン操作されたときに点灯する第１表示灯１０と、充電時に点灯する第２表示灯１１などを配置してある。
【００２０】
図１ないし図４においてヘッド部３は、ヘッドケース１２と、ヘッドケース１２に組み込まれる可動内刃１３、固定外刃１５および外刃ホルダー１６と、内刃駆動用のモーター１７と、モーター動力を内刃１３に伝動するギヤ機構１９とを含む。
【００２１】
図３において、ヘッドケース１２は、前後に分割される半円筒状の前ハーフ１２ａおよび後ハーフ１２ｂを蓋合わせ状に結合してなる。図１および図４に示すように、ヘッドケース１２の下面両側には、左右一対の支持脚２０・２０を突設してあり、これらの支持脚２０・２０をフロートばね２１を介して支持腕２で支持することにより、ヘッド部３は左右傾動あるいは左右同時昇降可能に浮動支持した。
【００２２】
可動内刃１３はロータリー刃からなり、その両端の軸部分を内刃支持台２２で回転自在に軸支してある。固定外刃１５は網刃で形成されており、後述するように外刃ホルダー１６によってアーチ状に保形して支持される。モーター１７は前後周面が平坦に形成してあり、その一側に出力軸２３を有し、他側から給電リード２５を導出する。
【００２３】
ヘッド部を水洗い可能とするために、モーター１７をハウジング２６内に収容して水密状に封止する。図４においてハウジング２６は、左右に分割される第１・第２のケース２７・２８と、両ケース２７・２８を分離不能に係合するクリップ３０などで構成する。第１ケース２７は、モーター１７の全体を収容できる有底筒状に形成してある。第２ケース２８は第１ケース２７の開口を塞ぐ浅い皿形状に形成してある。クリップ３０は、ばね板材を素材とするコ字状のプレス成形品であり、両ケース２７・２８の対向周面を同時に挟持して、両ケース２７・２８を分離不能に固定する。
【００２４】
第１ケース２７の側端上面には、内刃支持台２２を支持する内刃ブラケット３１を一体に形成する。第２ケース２８の上面にも、同様の内刃ブラケット３２を一体に形成し、これらの内刃ブラケット３１・３２に内刃支持台２２を橋絡状に載置し、図４に示すように内刃支持台２２をビス３３で締結することにより、内刃支持台２２をハウジング２６と一体化できる。
【００２５】
モーター１７は、その出力軸２３が側端壁から突出する状態で第１ケース２７内に組み込まれ、出力軸２６と第１ケース２７の開口部分との隙間が第１パッキン３５でシールされている。第１ケース２７と第２ケース２８との接合部分は、第２パッキン３６でシールする。
【００２６】
上記のようにモーター１７が収容されたハウジング２６は、図３に示すように前ハーフ１２ａと後ハーフ１２ｂとで前後方向に挟み、両ハーフ１２ａ・１２ｂの接合縁を互いに係合し、さらに上側接合面の左右を一対のビス３７（図４参照）で締結することにより、ハウジング２６をヘッドケース１２に一体化する。図４において給電リード２５は、第２ケースの側端壁に開口した上下一対のリード穴からハウジング２６の外へ導出し、支持脚２０を介して本体部に配線する。
【００２７】
ギヤ機構１９は、平歯車群からなるギヤトレインで構成してあり、出力軸２３の回転動力を可動内刃１３に固定した終段ギヤ３９に減速した状態で伝動する。
【００２８】
ヘッドケース１２に装着の外刃ホルダー１６をロック保持するために、ヘッドケース１２の側壁の内面にはロック解除ボタン４０を配置し、このボタン４０を圧縮コイル形のばね４１でロック付勢している。ばね４１の付勢力に抗してロック解除ボタン４０を押し込み操作すると、ロック解除ボタン４０に設けたロック爪４２と、外刃ホルダー１６に設けたロック凹部４３との係合状態が解除されるので、外刃ホルダー１６をヘッドケース１２から取り外すことができる。
【００２９】
本実施形態は上記構造の電気かみそりにおいて、図１に示すごとく、固定外刃１５の外表面に、これに密着するよう複数本の起毛用ワイヤー４５を配置してある点が着目されるべきである。ここでは７本のステンレス製のワイヤー４５が、左右方向の定ピッチ位置に固定外刃１５の上面を前後方向に跨ぐように配設されている。
【００３０】
図５において固定外刃１５は、ニッケル、あるいはニッケルコバルト合金を用いて電鋳法によって形成したシート状の網刃体４６と、網刃体４６の対向縁の後端側に固定される保持枠４７と、網刃体４６の対向縁の前端側に装着される緊張構造４９とを含む。この緊張構造４９は、網刃体４６を緊張状態に維持し、可動内刃１３の先端に網刃体４６を密着させることを目的とする。本実施形態では、これら保持枠４７と緊張構造４９との間に、網刃体４６の上面を前後方向に跨ぐようにワイヤー４５を配設した。図６に示すように、外刃ホルダー１６の前壁の内面には、先の緊張構造４９を受け止める段部５０が形成されており、外刃ホルダー１６の後壁の内面には、前記保持枠４７を受け止める段部５１が形成されている。図４に示すごとく、網刃体４６の厚み寸法（ｔ１）は６０μｍ、網刃体４６に形成された髭導入孔５２の開口寸法（ｔ２）は３００μｍとし、ワイヤー４５の線径寸法（ｔ３）は７０μｍとする。図５において、符号５３はワイヤー４５の両端に形成された抜け止め用の球状体を示しており、ここではワイヤー４５の先端を溶融することにより球状体５３を形成した。図３において符号Ｓは、ワイヤー４５を網刃体４６の外表面に密着維持するための引っ張り手段を示しており、ここでは、段部５１、保持枠４７および緊張構造４９などで、本発明で言うところの引っ張り手段Ｓを構成した。この引っ張り手段Ｓの作用については後に詳述する。
【００３１】
保持枠４７は左右横長のベース部５５を基体とするプラスチック成形品であり、その片面（後面）に網刃体を固定ための４個の溶着ピン５６が突設されており、下面中央に指掛部５７が突設されている。図６に示すように、溶着ピン５６を網刃体４６の後縁に沿って設けたピン孔５９に外面側から係合し、溶着ピン５６の突端を溶融変形することにより、保持枠４７を網刃体４６と一体化できる。
【００３２】
ベース部５５の後面には、ワイヤー４５を組むための縦溝６０が、ベース部５５の上縁から下方に向かって上下方向に長く刻設されている。本実施形態では、７本の縦溝６０を左右方向に等間隔を置いて刻設してある。各縦溝６０の下端には、球状体５３を受け入れるための凹部６１が、縦溝６０に連続して凹み形成されている。図６に示すように、ワイヤー４５および球状体５３は、縦溝６０および凹部６１内に外面側から嵌め込み、凹部６１の前方開口を塞ぐように該凹部６１の周縁を溶融変形することにより、ワイヤー４５と保持枠４７とを一体化できる。
【００３３】
緊張構造４９は、付勢枠６２と、付勢枠６２とともに網刃体４６に固定されるばね体６３と、付勢枠６２およびばね体６３の外面を覆う状態で付勢枠６２に装着される保護カバー６５とで構成する。
【００３４】
付勢枠６２は左右横長のプラスチック成形品であり、その後面にばね体６３を組むためのコ字状の溝６６を刻設し、該溝６６で囲まれる後壁面に４個の溶着ピン６７を突設してある。付勢枠６２の下面中央には、前記指掛部５７と同様の指掛部６９を突設してある。付勢枠６２の後面には、前記縦溝６０および凹部６１と同様の縦溝７０および凹部７１を刻設してある。ばね体６３は、左右横長の四角枠状のベース部７２と、ベース部７２の上縁２箇所から前面側に向かって折り曲げられる掛止壁７３と、各掛止壁７３の左右両端から斜め上向きに連出されるばね腕７５とを一体に備えており、ステンレス板材をプレス成形して得る。網刃体４６の前縁には、溶着ピン６７用のピン孔７６を形成してある。
【００３５】
付勢枠６２の溝６６に、ばね体６３のベース部７２を嵌め込み、次いでワイヤー４５および球状体５３を縦溝７０および凹部７１内に嵌め込む。さらに網刃体４６のピン孔７６に溶着ピン６７を外面側から係合する。この状態から溶着ピン６７の突端を網刃体４６の内面側で溶融変形させることにより、付勢枠６２およびばね体６３を網刃体４６に分離不能に溶着固定することができる。図６に示すように、縦溝７０および凹部７１の後方開口を網刃体４６で塞ぐことで、付勢枠６２に対してワイヤー４５を抜け止め不能に固定保持できる。この組み付け状態において、ばね体６３の掛止壁７３は、付勢枠６２の上面で受け止め支持されている。以上のように、保護枠４７と緊張構造４９との間にワイヤー４５を装着固定したとき、図６に示すごとくワイヤー４５は、その後端部が網刃体４６の後縁から浮き離れた前方斜めに傾斜する直線姿勢にある。
【００３６】
図５において、保護カバー６５は、ステンレス板材を素材にしたプレス形成品であり、付勢枠６２より上下幅が大きな帯板状のガイド壁７７を有し、その左右両端にガイド壁７７と協同して付勢枠６２の側端を前後に挟持する一対の抱持腕７９が折り曲げ形成されている。ガイド壁７７の上下には、ばね腕７５を受け止める上壁８０と、付勢枠６２の下方移動限界を規制する左右一対のストッパー８１・８１とを一体に備えている。
【００３７】
上記構成の固定外刃１５は、保持枠４７および付勢枠４９に設けた指掛部５７・６９を親指と人差指とでつまんで、図６に示すように網刃体４６をアーチ状に湾曲した状態で外刃ホルダー１６に下面側から組み付け、保持枠４７の上面を後壁側の段部５１と接触させ、同様に保護カバー６５の上壁を前壁側の段部５０に接触させる。このとき、ワイヤー４５は後壁側の段部５１に押されて、図３に示すように、網刃体４６の外表面に沿うような姿勢状態となる。この後に外刃ホルダー１６をヘッドケース１２に装着することにより、網刃体４６が緊張構造４９で押し下げ付勢されて可動内刃１３の内面に密着する。この装着状態においては、ばね腕７５が弾性変形された網刃体４６を押し下げ付勢するので、網刃体４６が可動内刃１３との摩擦によって回転下手側へ引っ張られることがあっても、網刃体４６が緩むのを阻止して緊張状態を維持できる。保持枠４７および付勢枠６２に設けた指部掛け５７・６９は、図１に示すように、外刃ホルダー１６の前後壁に隙間を介して対向しているので、固定外刃１５を交換する場合には、指掛部５７・６９をつまんで網刃体４６を湾曲させることにより、固定外刃１５を外刃ホルダー１６から容易に分離できる。なお、図３において白抜き矢印は、可動内刃１３の回転方向を示す。
【００３８】
かかる装着状態においては、ワイヤー４５の後端部分が前壁側の段部５１に押し付けられることにより、ワイヤー４５が図６に示すような直線姿勢から、図３に示すような網刃体４６の後縁に沿う略Ｌ字姿勢に撓み変形し、ワイヤー４５の全体を網刃体４６の外表面に強く押し付けることができる。これにて網刃体４６の外表面上にワイヤー４５が緊張状態に密着するので、網刃体４６を肌面に強く押し付けながら、電気かみそりを動かしたときにも、ワイヤー４５が不用意に緩んだり、位置ズレしたりすることがない。
【００３９】
以上のように、起毛用のワイヤー４５を固定外刃１５（網刃体４６）の上面に密着配置してあると、髭剃り動作時のワイヤー４５と肌面との接触機会を良好に確保できるので、ワイヤー４５で短毛や長毛やくせ毛などの髭を起こして、これを髭導入孔５２から可動内刃１３の切断領域内に引き入れて切断することが容易となる。したがって様々な方向に生えている髭を短時間で効率的に剃り上げることが可能となる。
【００４０】
本実施形態に係る電気かみそりのように、左右に長いアーチ状の固定外刃１５を髭切断要素とする形式では、網刃体４６の上面を肌面に当てながら、電気かみそりのヘッド部３を左右方向に動かすと、常に網刃体４６の上面が肌面に接触した状態となる。このため、従来形態の固定外刃１５の形態では、長毛やくせ毛を起毛させることができず、これらを効率的に切断できない点に不利があった。つまり、電気かみそりのヘッド部３を前後に動かして髭切断動作を行ったときには、網刃体４６の上面の前後には肌面と非接触となる部分ができるため、当該非接触部分に係る網刃体４６の髭導入孔５２を介して、長毛やくせ毛を可動内刃１３の髭切断領域に引き入れて、これを切断することが比較的容易であるものの、これとは別に電気かみそりのヘッド部３を左右方向に動かしたときには、常に網刃体４６の上面が肌面をなぞることとなるため、長毛等を起毛させることが容易でなく、これらを効率良く切断することができない点に不満があった。その点、本実施形態のように、固定外刃１５の上面を跨ぐように前後方向にワイヤー４５を配設してあると、電気かみそりを左右方向に動かしたときに、該ワイヤー４５による起毛効果が良好に発揮されるため、当該左右方向の動作により、確実に長毛やくせ毛を起毛させて、これらを効率的に切断することが可能となる。
【００４１】
図４に示すように、ワイヤー４５の線径（ｔ３）を網刃体４６の厚み寸法（ｔ１）よりも大きく設定してあると、これとは逆にワイヤー４５の線径（ｔ３）を網刃体４６の厚み寸法（ｔ１）よりも小さく設定した形式に比べて、ワイヤー４５これ自身の強度を良好に確保して、ワイヤー４５が髭導入孔５２に垂れ込むのを良く阻止できる。これによれば、ワイヤー４５と可動内刃１３との接触を防ぐことができるので、ワイヤー４５の損傷を防ぐに有利である。ワイヤー４５の線径（ｔ３）を髭導入孔５２の開口寸法（ｔ２）よりも小さく設定してあると、ワイヤー４５を設けたことによる髭導入孔５２への髭の導入動作が阻害される不具合を最小限に抑えて、髭切断を効率的に行える。換言すれば、ワイヤー４５の線径（ｔ３）は、網刃体４６の厚み寸法（ｔ１）よりも大きく、網刃体４６に開設された髭導入孔５２の開口寸法（ｔ２）よりも小さなもの（（ｔ１）＜（ｔ３）＜（ｔ２））に設定することが最適である。
【００４２】
（第２実施形態）
図７および図８には本発明の第２実施形態を示す。そこでは、網刃体４６の外表面に、起毛用のワイヤー４５を左右方向に密着配置してある点が先の第１実施形態と相違する。具体的には、網刃体４６の外表面の前後方向の定ピッチ位置に、左右方向に走るように５本のワイヤー４５を密着配置した。各ワイヤー４５は、その両端を網刃体４６の外表面にスポット溶接することにより固定した。それ以外については第１実施形態と同様であるので、同一部材には同一符号を付してその説明を省略する。
【００４３】
このように、網刃体４６の外表面に左右方向に長くワイヤー４５が密着配置されていると、電気かみそりを前後方向に動かしたときに、ワイヤー４５による起毛効果が良好に発揮される。したがって、第１実施形態のように、長毛やくせ毛を起毛させるために、電気かみそりを左右方向に動かす必要がなく、前後方向の髭剃り動作だけで長毛等を効率的に切断できる点で優れている。
【００４４】
（第３実施形態）
図９に本発明の第３実施形態を示す。そこでは、ワイヤー４５の後端を固定保持し、保持枠４７内で上下方向にスライド移動可能に構成されたスライド体９０と、スライド体９０を下向きに移動付勢するコイル形のばね９１とで引っ張り手段Ｓを構成してある点が、先の第１実施形態と相違する。この引っ張り手段Ｓでは、ばね９１の付勢力を受けてスライド体９０が保持枠４７内で下向きに変位移行されることにより、ワイヤー４５の後端を下方に引っ張って、これを網刃体４６の外表面上に緊張状態に密着させている。これによれば、ばね９１の付勢力によってワイヤー４５を引っ張る仕様であるため、経年使用によってワイヤー４５自身が伸びてもこれが緩むおそれが少なく、ワイヤー４５の良好な緊張状態が長期にわたって持続される点で優れている。
【００４５】
上記の引っ張り手段Ｓにおいては、左右方向に長い一本のスライド体９０に全てのワイヤー４５を固定保持させてもよいし、ワイヤー４５ごとにスライド体９０とばね９１を設けて、各ワイヤー４５を独立して引っ張ることができるようにしてもよい。後者形態によれば、各ワイヤー４５を他のワイヤー４５の影響を受けることなく引っ張って、これを網刃体４６の外表面上に緊張状態に密着させることができるので、他のワイヤー４５の影響を受けてワイヤー４５が不用意に緩むような不具合がなく、起毛効果が安定的に発揮される点で優れている。
【００４６】
第１および第３実施形態には前後方向にワイヤー４５を配置した形式を示し、第２実施形態には左右方向にワイヤー４５を配置した形式を示したが、両形式に係るワイヤー４５を共に備えるものであってもよい。つまり、前後と左右のワイヤー４５からなる網状とすることができる。
【００４７】
上記の実施形態では、本発明をロータリー式の電気かみそりに適用した場合について説明したが、可動内刃が左右方向へ往復摺動される往復動式の電気かみそりや、ドーム型の固定外刃内で円盤状の可動内刃が回転摺動される回転式の電気かみそりにも等しく適用できる。ステンレスなどの金属製のワイヤー４５に替えて、釣り糸のようなナイロンなどの樹脂製のワイヤーを配する形態を採ることができる。
【図面の簡単な説明】
【００４８】
【図１】第１実施形態に係る電気かみそりのヘッド部の分解正面図
【図２】第１実施形態に係る電気かみそりの外観図
【図３】第１実施形態に係るヘッド部の縦断側面図
【図４】第１実施形態に係るヘッド部の縦断正面図
【図５】第１実施形態に係る固定外刃の分解斜視図
【図６】第１実施形態に係る固定外刃と外刃ホルダーとを分離した状態の縦断側面図
【図７】第２実施形態に係る電気かみそりを構成する網刃体の斜視図
【図８】第２実施形態に係る電気かみそりのヘッド部の縦断側面図
【図９】第３実施形態に係る電気かみそりのヘッド部の縦断側面図
【符号の説明】
【００４９】
１３  可動内刃
１５  固定外刃
４５  ワイヤー
４６  網刃体
５２  髭導入孔
Ｓ  引っ張り手段
ｔ１  網刃体の厚み寸法
ｔ２  髭導入孔の開口寸法
ｔ３  ワイヤーの線径
【図１】
2006280404.tif 000003
【図２】
2006280404.tif 000004
【図３】
2006280404.tif 000005
【図４】
2006280404.tif 000006
【図５】
2006280404.tif 000007
【図６】
2006280404.tif 000008
【図７】
2006280404.tif 000009
【図８】
2006280404.tif 000010
【図９】
2006280404.tif 000011